(57)【要約】【課題】鉄塔に使用されているアングル材に取付可能なかずら防止具を提供する。【解決手段】かずら防止具１は、断面略Ｌ字型のアングル材により構成されている鉄塔の主柱に取り付けられ、鉄塔へのかずらの巻き付きを防止する器具であり、主柱１００の周囲に鍔状の返しを形成し、かずらが上方へ成長するのを防止する第１の防止具２及び第２の防止具３を備えている。第１の防止具２は、主柱１００の周囲に鍔状の返しを形成し、かずらが上方へ成長するのを防止する第１の板状部２１と、主柱１００の一辺１０１及び他辺１０２が挿入可能な第１のスリット２２と、主柱１００の一辺１０１を挟む第１の取付部２３とを備えている。同様に、第２の防止具３は、第２の板状部３１と、第２のスリット３２と、第２の取付部３３とを備えている。【選択図】  図３
2019073919.tif 000002
【特許請求の範囲】
【請求項１】
断面略Ｌ字型のアングル材により構成される鉄塔の主柱に取り付けられ、前記鉄塔へのかずらの巻き付きを防止するかずら防止具であって、
前記主柱の一辺が挿入可能な第１のスリットが設けられ、前記主柱の一辺に取り付けられる第１の防止具と、
前記主柱の他辺が挿入可能な第２のスリットが設けられ、前記主柱の他辺に取り付けられ、前記第１の防止具とで前記主柱を略水平方向から挟む第２の防止具と、
前記主柱を挟んだ状態で、前記第１の防止具と前記第２の防止具とを連結する連結手段と、を備え、
前記第１の防止具及び前記第２の防止具により前記主柱の周囲に鍔状の返しを形成し、前記かずらが上方へ成長するのを防止する、
ことを特徴とするかずら防止具。
【請求項２】
前記第１のスリットに前記主柱の一辺を挿入したとき、または前記第２のスリットに前記主柱の他辺を挿入したときに、生じる隙間に挿入されて前記隙間を塞ぐスペーサ部材を備える、
ことを特徴とする請求項１に記載のかずら防止具。
【請求項３】
前記第１の防止具に、前記第１のスリットの縁から前記主柱の長手方向に延び、前記主柱の一辺を長手方向に沿って挟む第１の取付部が設けられ、
前記第２の防止具に、前記第２のスリットの縁から前記主柱の長手方向に延び、前記主柱の他辺を長手方向に沿って挟む第２の取付部が設けられている、
ことを特徴とする請求項１または２のいずれか１項に記載のかずら防止具。
【発明の詳細な説明】
【技術分野】
【０００１】
この発明は、鉄塔に取り付けられて鉄塔へのかずらの巻き付きを防止するかずら防止具に関する。
【背景技術】
【０００２】
電力会社で管理する鉄塔には、例えば、送電線を懸架するための送電鉄塔がある。このような鉄塔は、主柱材、斜材、及び腕金等により構成され、主に断面略Ｌ字型のアングル材により形成されている。鉄塔は、都市部から離れた地域に設置されることが多い発電所や変電所から電力を送る送電線を懸架するため、山間部のような、人があまり立ち入らない地域に設置されることが多い。そのため、鉄塔敷地内には雑草が繁茂しており、特に、かずらと呼ばれるつる植物が鉄塔に巻き付くことがある。
【０００３】
このようなかずらを除去するために、電力会社の作業員が定期的に除草作業を行っている。この定期的な除草作業の間に、かずらが伸びて鉄塔に絡まってしまい、かずらの除去作業か煩雑になってしまうことがある。しかし、上記のように鉄塔は山間部のような地域に設置されることが多いため、頻繁に除草作業を行うことは不可能である。
【０００４】
このようなかずらの巻き付きを防止する器具として、例えば、電柱の支線の途中位置に取り付けられ、支線に巻き付かれたかずらがその支線の途中位置より上方には伸びないようにするかずら防止器が知られている（例えば、特許文献１参照。）。このようなかずら防止器により、電柱の支線に巻き付かれたかずらが所定の位置より上方に伸びないようにすることで、かずらが電柱の支線に絡まって除去作業が煩雑になることを防止するものである。
【先行技術文献】
【特許文献】
【０００５】
【特許文献１】特開２０１０−２２２８６７号公報
【発明の概要】
【発明が解決しようとする課題】
【０００６】
しかしながら、特許文献１に記載のかずら防止器は、電柱の支線のように断面が円形のものにしか取り付けることができないものであり、鉄塔に使用されているアングル材のようなものには取り付けることができないものであった。
【０００７】
そこでこの発明は、鉄塔に使用されているアングル材に取付可能なかずら防止具を提供することを目的とする。
【課題を解決するための手段】
【０００８】
上記課題を解決するために、請求項１の発明は、断面略Ｌ字型のアングル材により構成される鉄塔の主柱に取り付けられ、前記鉄塔へのかずらの巻き付きを防止するかずら防止具であって、前記主柱の一辺が挿入可能な第１のスリットが設けられ、前記主柱の一辺に取り付けられる第１の防止具と、前記主柱の他辺が挿入可能な第２のスリットが設けられ、前記主柱の他辺に取り付けられ、前記第１の防止具とで前記主柱を略水平方向から挟む第２の防止具と、前記主柱を挟んだ状態で、前記第１の防止具と前記第２の防止具とを連結する連結手段と、を備え、前記第１の防止具及び前記第２の防止具により前記主柱の周囲に鍔状の返しを形成し、前記かずらが上方へ成長するのを防止する、ことを特徴とする。
【０００９】
請求項２の発明は、請求項１に記載のかずら防止具において、前記第１のスリットに前記主柱の一辺を挿入したとき、または前記第２のスリットに前記主柱の他辺を挿入したときに、生じる隙間に挿入されて前記隙間を塞ぐスペーサ部材を備える、ことを特徴とする。
【００１０】
請求項３の発明は、請求項１または２のいずれか１項に記載のかずら防止具において、前記第１の防止具に、前記第１のスリットの縁から前記主柱の長手方向に延び、前記主柱の一辺を長手方向に沿って挟む第１の取付部が設けられ、前記第２の防止具に、前記第２のスリットの縁から前記主柱の長手方向に延び、前記主柱の他辺を長手方向に沿って挟む第２の取付部が設けられている、ことを特徴とする。
【発明の効果】
【００１１】
請求項１の発明によれば、第１の防止具及び第２の防止具が主柱の一辺及び他辺に、主柱を略水平方向から挟んで取り付けられ、主柱の周囲に鍔状の返しを形成し、かずらが上方へ成長するのを防止する構成にしたため、このかずら防止具を断面略Ｌ字型の主柱に取り付けることが可能になる。また、このような構成により、ヘビ等が鉄塔を登るのを防止することもできる。さらに、第１の防止具には主柱の一辺が挿入可能な第１のスリットが、第２の防止具には主柱の他辺が挿入可能な第２のスリットが、それぞれ設けられているため、かずら防止具を主柱に容易に取り付けることが可能になる。また、第１の防止具と第２の防止具とを連結する連結手段を備えたことにより、かずら防止具が主柱から外れることを防止し、取り付けられた状態を保持することができる。
【００１２】
請求項２の発明によれば、第１のスリットまたは第２のスリットに生じる隙間に挿入されて隙間を塞ぐスペーサ部材を備えたため、第１のスリットまたは第２のスリットの大きさが主柱の一辺の大きさと合わない場合であっても、かずら防止具を主柱の一辺に取り付けることができる。これにより、複数種類の主柱の大きさに合わせてかずら防止具を取り付けることが可能である。
【００１３】
請求項３の発明によれば、第１の防止具には、第１のスリットの縁から主柱の長手方向に延び、主柱の一辺を長手方向に沿って挟む第１の取付部が設けられ、第２の防止具には、第２のスリットの縁から主柱の長手方向に延び、主柱の他辺を長手方向に沿って挟む第２の取付部が設けられているので、第１の取付部及び第２の取付部の面全体で主柱の一辺を挟むことにより、かずら防止具が主柱から外れることを防止し、取り付けられた状態をより強固に保持することができる。
【図面の簡単な説明】
【００１４】
【図１】この発明の実施の形態１に係るかずら防止具１を構成する第１の防止具２を示す図であり、斜視図（ａ）、平面図（ｂ）、及び正面図（ｃ）である。
【図２】かずら防止具１を主柱１００に取り付ける途中の状態を示す斜視図である。
【図３】かずら防止具１が主柱１００に取り付けられた状態を示す斜視図である。
【図４】この発明の実施の形態２に係る第１の防止具２が主柱１００に取り付けられた状態を示す平面図である。
【図５】この発明の実施の形態３に係るかずら防止具１ａを構成する第１の防止具２ａを示す図であり、斜視図（ａ）、平面図（ｂ）、及び正面図（ｃ）である。
【図６】かずら防止具１ａが主柱１００に取り付けられた状態を示す斜視図である。す概略図である。
【発明を実施するための形態】
【００１５】
以下、この発明を図示の実施の形態に基づいて説明する。
【００１６】
（実施の形態１）
図１ないし図３は、この発明の実施の形態１に係るかずら防止具１を示し、図１は、かずら防止具１を構成する第１の防止具２を示す斜視図（ａ）、平面図（ｂ）、及び正面図（ｃ）である。このかずら防止具１は、後述する図２に示すような断面略Ｌ字型のアングル材により構成された鉄塔の主柱１００に取り付けられ、鉄塔へのかずらの巻き付きを防止する器具であり、図３に示すように、主として第１の防止具２と、第２の防止具３とを備え、主柱１００を略水平方向から挟むように取り付けられる構成になっている。第１の防止具２と第２の防止具３とは、底辺を軸として線対称な形状になっているため、第１の防止具２のみについて説明する。
【００１７】
第１の防止具２は、第１のスリット２２が形成された第１の板状部２１と、第１の取付部２３とを有する。同様に、第２の防止具３は、第２のスリット３２が形成された第２の板状部３１と、第２の取付部３３とを有する。
【００１８】
第１の板状部２１は、主柱１００の周囲に鍔状の返しを形成し、かずらが上方へ成長するのを防止する箇所であり、例えば等辺が約２０ｃｍの二等辺三角形の板状に形成されている。第１のスリット２２は、主柱１００の一辺が挿入可能であり、例えば第１の板状部２１の底辺から一方の等辺に向けて略垂直方向に設けられている。この形状は、第１のスリット２２に主柱１００の一辺１０１を挿入し、第２のスリット３２に主柱１００の他辺１０２を挿入した時に、底辺同士が密着して隙間が生じないようにするためであり、主柱１００の大きさに合わせて第１のスリット２２が設けられている。
【００１９】
第１の取付部２３は、主柱１００の一辺１０１を挟む箇所であり、第１のスリット２２の縁から取り付けられる一辺１０１の長手方向に延び、一辺１０１を長手方向に沿って挟むように形成されている。この第１の取付部２３は、その内壁面を一辺１０１に密着させ、内壁面全体で一辺１０１を挟むことにより、一辺１０１から外れることを防止し、一辺１０１に取り付けられた状態で強固に保持させるために設けられており、第１の取付部２３の幅は、一辺１０１に密着する大きさに形成され、第１の取付部２３の奥行きは、一辺１０１の一辺の長さに合わせて形成されている。
【００２０】
かずら防止具１が主柱１００の一辺１０１、他辺１０２を挟んだ状態から外れないようにするために、図３に示すように、ステンレスバンド（連結手段）４を備え、第１の取付部２３及び第２の取付部３３に巻き付けられ、締め付けられる。これにより、かずら防止具１が主柱１００から外れることを防止し、取り付けられた状態を保持することができる。
【００２１】
このかずら防止具１は、例えば、耐候性のプラスチック樹脂等により形成されているが、他の材料、例えばゴム等により形成しても良い。
【００２２】
次に、このようなかずら防止具１の使用方法及び作用等について、以下に説明する。
【００２３】
図２は、かずら防止具１を主柱１００に取り付ける途中の状態を示す斜視図である。また、図３は、かずら防止具１が主柱１００に取り付けられた状態を示す斜視図である。まず、図２に示すように、第１のスリット２２及び第１の取付部２３に、主柱１００の一辺１０１を挿入する。そして、第１の防止具２を矢印Ａ方向に押し込み、第１のスリット２２及び第１の取付部２３の奥に一辺１０１が当たるまで挿入する。
【００２４】
次に、第２のスリット３２及び第２の取付部３３に、主柱１００の他辺１０２を挿入する。そして、第２の防止具３を矢印Ｂ方向に押し込み、第２のスリット３２及び第２の取付部３３の奥に他辺１０２が当たるまで挿入し、第１の防止具２及び第２の防止具３との間で挟むようにする。この状態でかずら防止具１が主柱１００から外れないようにするため、ステンレスバンド４で第１の取付部２３及び第２の取付部３３を締め付けて固定する。
【００２５】
すると、図３に示すように、第１の板状部２１及び第２の板状部３１の底辺同士が密着した状態になり、主柱１００の周囲に略四角形の鍔状の返しを形成した状態になる。この第１の板状部２１及び第２の板状部３１により、かずらが上方へ成長するのを防止することができる。このとき、かずら防止具１は例えば、主柱１００が配置されている地面から５０ｃｍ〜６０ｃｍの高さの位置に挿入することが望ましい。
【００２６】
このように、このかずら防止具１によれば、主柱１００の一辺１０１及び他辺１０２に第１の防止具２及び第２の防止具３が主柱１００を挟むように取り付けられ、第１の板状部２１及び第２の板状部３１により、主柱１００の周囲に鍔状の返しを形成した状態になる。これにより、かずらが上方へ成長するのを防止することが可能であり、断面略Ｌ字型の主柱１００に取り付けることが可能になる。また、このようなかずら防止具１の構成により、ヘビ等が鉄塔を登るのを防止することもできる。
【００２７】
また、第１の板状部２１及び第２の板状部３１には、主柱１００の一辺１０１及び他辺１０２が挿入される第１のスリット２２及び第２のスリット３２が設けられているため、かずら防止具１を一辺１０１及び他辺１０２に容易に取り付けることが可能になる。
【００２８】
さらに、第１のスリット２１及び第２のスリット３１の縁から主柱１００の一辺１０１及び他辺１０２の長手方向に延び、一辺１０１を長手方向に沿って挟むように第１の取付部２３及び第２の取付部３３が設けられているため、第１の取付部２３及び第２の取付部３３の内壁面を主柱１００の一辺１０１及び他辺１０２に密着させ、内壁面全体で一辺１０１及び他辺１０２を挟むことにより、主柱１００から外れることを防止して主柱１００に取り付けられた状態で強固に保持することが可能になる。
【００２９】
また、第１の取付部２３及び第２の取付部３３を締め付けて固定するステンレスバンド４を備えたことにより、かずら防止具１が主柱１００から外れることを防止し、取り付けられた状態を保持することができる。
【００３０】
（実施の形態２）
図４は、この発明の実施の形態２に係る第１の防止具２が主柱１００に取り付けられた状態を示す平面図である。この第１の防止具２は、実施の形態１と同様であるが、第１のスリット２２の隙間にスペーサ部材５が挿入されている点において、実施の形態１と異なる。スペーサ部材５は、第１のスリット２２の幅及び奥行きが、主柱１００の一辺１０１より大きい場合に隙間に挿入されて隙間を塞ぐものであり、第１のスリット２２の幅及び奥行きに合わせて細板状に形成されて一辺１０１が挿入可能な大きさのスリットが設けられ、例えばゴム等により形成されている。その他の構成、使用方法及び作用については、実施の形態１と同様である。また、このスペーサ部材５は、第２のスリット３２の隙間にも挿入可能である。
【００３１】
このように、このスペーサ部材５によれば、第１のスリット２２の幅及び奥行きが、主柱１００の一辺１０１より大きい場合であっても隙間を塞ぐことにより、主柱１００の一辺１０１の大きさが合わない場合であっても、かずら防止具１を一辺１０１に取り付けることができる。これにより、複数種類の主柱１００の大きさに合わせて、かずら防止具１を取り付けることが可能である。
【００３２】
（実施の形態３）
図５は、この発明の実施の形態３に係るかずら防止具１ａを構成する第１の防止具２ａを示す図であり、斜視図（ａ）、平面図（ｂ）、及び正面図（ｃ）である。また、図６は、かずら防止具１ａが主柱１００に取り付けられた状態を示す斜視図である。このかずら防止具１ａは、鉄塔の主柱に取り付けられて鉄塔へのかずらの巻き付きを防止する器具である点において、実施の形態１と同様であるが、主として第１の防止具２ａと、第２の防止具３ａとを備え、第１の防止具２ａは第１の取付部２３を備えず、第２の防止具３ａは第２の取付部３３を備えていない。また、第１の板状部２１の底面に第１の連結部（連結手段）２４を備え、第２の板状部３１の底辺に第２の連結部（連結手段）３４を備えている点において、実施の形態１と異なる。
【００３３】
第１の連結部２４及び第２の連結部３４は、第１の板状部２１と第２の板状部３１とが連結され、かずら防止具１ａが主柱１００から外れないようにするためのロック機構により構成されている。具体的には、例えば、第１の連結部２４に凹部が設けられ、第２の連結部３４にはこの凹部に挿入可能な凸部が設けられている。凹部側面には係止部が設けられ、凸部側面には係止部に係止される弾性突起が設けられ、凸部、すなわち第２の防止具３が押圧されることで弾性突起が係止部に係止されるようになっている。この実施の形態３では、第１の取付部２３及び第２の取付部３３を備えていないので、実施の形態１のようにステンレスバンド４で第１の取付部４及び第２の取付部５を締め付けて固定することができないため、第１の連結部２４及び第２の連結部３４が設けられている。第１の取付部２３及び第２の取付部３３を備えていないのは、例えば、かずら防止具を取り付ける主柱１００のすぐ下に斜材がある場合や、主柱１００が変形して取付部３が取り付けられない場合であっても、かずら防止具を取り付けられるようにするためである。その他の構成については、実施の形態１と同様である。
【００３４】
このかずら防止具１ａを主柱１００に取り付けるためには、まず、第１のスリット２２に、主柱１００の一辺１０１を挿入して第１の防止具２ａを押し込み、第１のスリット２１の奥に一辺１０１が当たるまで挿入する。
【００３５】
次に、第２のスリット３２に、主柱１００の他辺１０２を挿入して第２の防止具３ａを押し込み、第２のスリット３２の奥に他辺１０２が当たるまで挿入し、第１のスリット２２との間で挟むようにする。そして、対向する第１の連結部２４と第２の連結部３４とを連結させて主柱１００に固定する。
【００３６】
すると、図６に示すように、第１の板状部２１及び第２の板状部３１の底辺同士が密着した状態になり、主柱１００の周囲に鍔状の返しを形成した状態になる。この第１の板状部２１及び第２の板状部３１により、かずらが上方へ成長するのを防止することができる。
【００３７】
このように、このかずら防止具１ａによれば、主柱１００から外れないようにするための第１の連結部２４及び第２の連結部３４を備えたため、第１の取付部２３及び第２の取付部３３を備えていないかずら防止具１ａであっても、主柱１００から外れないように固定することができる。これにより、主柱１００のすぐ下に斜材がある場合や、主柱１００が変形して第１の取付部２３及び第２の取付部３３が取り付けられない場合であっても、かずら防止具１ａを取り付けることが可能になる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、第１の板状部２１及び第２の板状部３１を二等辺三角形に形成し、対向することで略四角形になるように構成したが、他の形状でも良く、例えば半円形に形成し、対向することで略円形になるように構成しても良い。また、第１の防止具２及び第２の防止具３を線対称な形状としたが、異なる形状の板状部同士を対向させて構成しても良い。これにより、鉄塔が他の構造物に近接しているような場合であっても、かずら防止具を取り付けることができる。
【００３９】
また、実施の形態１及び２では、第１の取付部２３及び第２の取付部３３が下向きになるように主柱１００に取り付けたが、主柱１００のすぐ下に斜材がある場合等、第１の取付部４及び第２の取付部５が上向きになるように取り付けても良い。
【符号の説明】
【００４０】
１，１ａ                                かずら防止具
２，２ａ                                第１の防止具
３，３ａ                                第２の防止具
４                                      ステンレスバンド（連結手段）
５                                      スペーサ部材
２１                                    第１の板状部
２２                                    第１のスリット
２３                                    第１の取付部
２４                                    第１の連結部（連結手段）
３１                                    第２の板状部
３２                                    第２のスリット
３３                                    第２の取付部
３４                                    第２の連結部（連結手段）
１００                                  主柱
１０１                                  一辺
１０２                                  他辺
【図１】
2019073919.tif 000003
【図２】
2019073919.tif 000004
【図３】
2019073919.tif 000005
【図４】
2019073919.tif 000006
【図５】
2019073919.tif 000007
【図６】
2019073919.tif 000008